(57)【要約】【課題】静電気による誤動作を防止するためのさらなる改善が図られる電子装置を提供する。【解決手段】プリンタ装置には、種々のメニューを表示する画像表示部４が設けられている。画像表示部４は、筐体２の表面部分に収容された状態と、画像表示部４を起こした状態との間を回動可能に軸支されている。その回動軸部５の部分には、画像表示部４と筐体２との間に隙間１０が設けられている。画像表示部４は、筐体内に設けられた所定の基板部とは、フレキシブルフラットケーブル７によって電気的に接続されている。そのフレキシブルフラットケーブル７には、回動軸部５における隙間１０に望む側に帯電性部材９が装着されている。【選択図】図４
2007128703.tif 000002
【特許請求の範囲】
【請求項１】
所定の機能を有する電子機器を収容した装置筐体と、
前記装置筐体の外側部分に取付けられた画像表示部と、
前記装置筐体内に配設され、前記画像表示部に表示する画像を処理する基板部と、
前記画像表示部と前記基板部とを電気的に接続するケーブルと、
前記ケーブルに装着された柔軟性を有する帯電性部材と
を備え、
前記画像表示部は、所定の回動軸部により前記装置筐体の外側表面部分に収容された状態と前記装置筐体の外側表面から起こされた状態の間を回動可能に前記装置筐体に軸支され、
前記帯電性部材は、前記画像表示部が軸支されている部分において前記ケーブルが露出する側を覆うように配設された、電子装置。
【請求項２】
所定の筐体と、
前記筐体に配設され、所定の機能を有する第１処理部と、
前記第１処理部とは異なる所定の位置に配設され、所定の機能を有する第２処理部と、
前記第１処理部と前記第２処理部とを電気的に接続するケーブルと
前記ケーブルに装着された柔軟性を有する帯電性部材と
を備え、
前記帯電性部材は、静電気の発生源に臨む側に露出した前記ケーブルの部分を覆うように装着された、電子装置。
【請求項３】
前記第１処理部は画像を表示する画像表示部を含み、
前記第２処理部は前記画像表示部の画像を処理する回路が形成された基板部を含み、
前記画像表示部は所定の軸部に回動可能に軸支され、
前記帯電性部材は、軸支されている部分を覆うように装着された、請求項２記載の電子装置。
【請求項４】
前記帯電性部材では、前記画像表示部側の端部は前記画像表示部の内部に入り込むように配設され、前記基板部側の端部は前記筐体の内部に入り込むように配設された、請求項３記載の電子装置。
【請求項５】
前記帯電性部材と前記ケーブルとの間に絶縁性部材を介在させた、請求項２〜４のいずれかに記載の電子装置。
【請求項６】
前記帯電性部材は発泡部材を含む、請求項２〜５のいずれかに記載の電子装置。
【発明の詳細な説明】
【技術分野】
【０００１】
本発明は電子装置に関し、特に、静電気の影響を受けやすいケーブルを備えた電子装置に関するものである。
【背景技術】
【０００２】
所望の機能を果たす電子装置には、ユーザの要求に応じた処理を行なうためにその機能や処理モード等を表示する画像表示部が設けられている。電子装置の一つとして、たとえば図６に示すように、プリンタ装置１０１の場合には、ユーザの要求に対応した印刷を行なうために、筐体１０２における見やすい位置に印刷の種々のメニューを表示する画像表示部１０４が設けられている。画像表示部１０４には、代表的に液晶表示本体１０４ａが配設されている。その液晶表示本体１０４ａに表示された印刷メニューの中から、ユーザの望む印刷メニューを設定するために筐体１０２には操作パネル１０３が設けられている。
【０００３】
画像表示部１０４は、通常の状態では、図６に示すように筐体１０２の表面部分に収容された状態にある。そして、プリンタ装置１０１を使用する際には、図７に示すように、画像表示部１０４を回動させて起こした状態とされる。このように、画像表示部１０４は回動させる必要があることから、図８に示すように、画像表示部１０４は筐体１０２内に設けられた画像データを処理するための所定の基板部１０６とは、たとえばフレキシブルフラットケーブル１０７によって電気的に接続されている。
【０００４】
ところで、プリンタ装置１０１では、図７に示すように、画像表示部１０４を回動させるために、回動軸部１０５において、画像表示部１０４と筐体１０２との間にある程度の隙間１０９が設けられている。特に、この隙間１０９は、液晶表示本体１０４ａが配設されている側と反対の裏側の回動軸部１０５の部分において顕著に認められる。したがって、この隙間１０９の部分では、フレキシブルフラットケーブル１０７の一部分１０７ａが外に向かって露出していることになる。そのため、画像表示部１０４を手で持って起こす際に、手が帯電していたような場合には、手の静電気が露出したフレキシブルフラットケーブル１０７の一部分１０７ａに向かって流れることがある。
【０００５】
フレキシブルフラットケーブル１０７に静電気が流れると、たとえば基板部１０６が誤動作を起こしてしまい、液晶表示本体１０４ａに正しく情報が表示されないなどの問題が発生するおそれがあり、ひいてはプリンタ装置１０１の誤動作に繋がることになる。このような静電気がケーブルに流れるのを防ぐために、たとえば特許文献１〜特許文献５にあるように従来から種々の対策が講じられている。
【特許文献１】特開２００１−３０８５７４号公報
【特許文献２】特開平１１−２３８９９０号公報
【特許文献３】実開平５−０５７８６４号公報
【特許文献４】特開２００４−２７４６１３号公報
【特許文献５】特開２００３−２３４０２２号公報
【発明の開示】
【発明が解決しようとする課題】
【０００６】
上述したように、プリンタ装置などの電子装置では、従来からケーブルに静電気が流れるのを防止する種々の対策が講じられている。本発明は、その一環で、静電気による誤動作を防止するためのさらなる改善が図られる電子装置を提供することを目的とする。
【課題を解決するための手段】
【０００７】
本発明に係る電子装置は、装置筐体と画像表示部と基板部とケーブルと帯電性部材とを備えている。装置筐体は、所定の機能を有する電子機器を収容する。画像表示部は装置筐体の外側部分に取付けられている。基板部は装置筐体内に配設され、画像表示部に表示する画像を処理する。ケーブルは画像表示部と基板部とを電気的に接続する。帯電性部材はケーブルに装着されて柔軟性を有している。画像表示部は、所定の回動軸部により装置筐体の外側表面部分に収容された状態と装置筐体の外側表面から起こされた状態の間を回動可能に前記装置筐体に軸支されている。そして、帯電部性材は、画像表示部が軸支されている部分においてケーブルが露出する側を覆うように配設されている。
【０００８】
この構成によれば、画像表示部の回動軸部における隙間に露出する側の部分が帯電性部材によって覆われている。これにより、たとえば画像表示部を手で持って起こす際に、手が帯電していたような場合であっても、手の静電気が帯電性部材へ流れてケーブルへ流れるのを効果的に阻止することができる。その結果、静電気がケーブルへ流れることに伴って基板部が誤動作を起こしてしまい、画像表示装置に正しく情報が表示されないなどの問題が発生したり、ひいては電子装置が誤動作を起こすのを未然に防ぐことができる。
【０００９】
本発明に係る他の電子装置は、所定の筐体と第１処理部と第２処理部とケーブルと帯電性部材とを備えている。第１処理部は所定の筐体に配設され、所定の機能を有している。第２処理部は、第１処理部とは異なる所定の位置に配設され、所定の機能を有している。ケーブルは、第１処理部と第２処理部とを電気的に接続する。帯電性部材はケーブルに装着されて柔軟性を有している。帯電部性材は、静電気の発生源に臨む側に露出したケーブルの部分を覆うように装着されている。
【００１０】
この構成によれば、第１処理部と第２処理部との間に部分に露出して静電気の発生源に臨む側のケーブルの部分が帯電性部材によって覆われる。これにより、たとえ帯電していた物体が露出したケーブルの部分に近づくようなことがあっても、その物体の静電気が帯電性部材を流れてケーブルへ流れるのが効果的に阻止される。その結果、静電気が流れることに伴って第１処理部や第２処理部が誤動作を起こしてしまうなどの問題が生じたり、ひいては電子装置が誤動作を起こすのを未然に防ぐことができる。
【００１１】
より具体的には、第１処理部は画像を表示する画像表示部を含み、第２処理部は画像表示部の画像を処理する回路が形成された基板部を含み、画像表示部は所定の軸部に回動可能に軸支され、帯電性部材は、軸支されている部分を覆うように装着されていることが好ましい。
【００１２】
この場合には、たとえ画像表示部を手で持って起こす際に、手が帯電していたような場合であっても、手の静電気が帯電性部材を流れてケーブルへ流れるのが阻止される。これにより、静電気が流れることに伴って基板部が誤動作を起こして画像表示部に正しく情報が表示されないなどの問題が発生したりするのを未然に防ぐことができる。
【００１３】
また、帯電性部材では、画像表示部側の端部は画像表示部の内部に入り込むように配設され、基板部側の端部は筐体の内部に入り込むように配設されることが好ましい。
【００１４】
これにより、手などの帯電した物体がケーブルに接近した場合に、静電気を帯電性部材により確実に流してケーブルに流れるのを阻止することができる。
【００１５】
さらに、帯電性部材とケーブルとの間に絶縁性部材を介在させていることが好ましい。
これにより、帯電性部材を静電気が流れる場合にケーブルの側に流れるのをより確実に阻止することができる。
【００１６】
その帯電性部材としては、具体的には発泡部材を含むことが好ましい。
これにより、比較的安価に帯電性部材を装着することができる。
【発明を実施するための最良の形態】
【００１７】
本発明の実施の形態に係る電子装置の一例として、プリンタ装置を例に挙げて説明する。図１に示すように、プリンタ装置１には、ユーザの要求に対応した印刷を行なうために、筐体２における見やすい位置に印刷の種々のメニューを表示する画像表示部４が設けられている。画像表示部４には、代表的に液晶表示本体４ａが配設されている。その液晶表示本体４ａに表示された印刷メニューの中から、ユーザの望む印刷メニューを設定するために筐体２の所定の位置に操作パネル３が設けられている。なお、画像表示部４自体に、印刷メニューを直接設定する機能をもたせるようにしてもよい。
【００１８】
図１に示すように、その画像表示部４は、通常の状態では筐体２の表面部分に収容された状態にある。そして、プリンタ装置１を使用する際には、図２に示すように、画像表示部４を回動させて起こした状態とされる。このように、画像表示部４は回動させる必要があることから、プリンタ装置１では、画像表示部４の回動軸部５において、画像表示部４と筐体２との間にある程度の隙間１０が設けられている（図４参照）。特に、この隙間１０は、後述するように、液晶表示本体４ａが配設されている側と反対の裏側の回動軸部５の部分において顕著に認められる。
【００１９】
図３に示すように、その画像表示部４は、筐体２内に設けられた画像データを処理するための所定の基板部６とは、たとえばフレキシブルフラットケーブル７によって電気的に接続されている。そのフレキシブルフラットケーブル７には、絶縁性部材８を介在させてたとえばスポンジなどの発泡部材からなる帯電性部材９が装着されている。
【００２０】
フレキシブルフラットケーブル７に帯電性部材９が装着されていることで、図４に示すように、液晶表示本体４ａが配設されている側と反対の裏側の回動軸部５の部分における隙間１０には、このフレキシブルフラットケーブル７を覆う帯電性部材９が露出することになる。
【００２１】
また、図５に示すように、帯電性部材９では、画像表示部４側の端部は画像表示部４の中に入り込むように装着され、一方、筐体２側の端部は筐体内に入り込むように装着されている。この場合、画像表示部４の枠体部分を含む筐体２を接地電位に固定することによって、フレキシブルフラットケーブル７に静電気が流れるのを効果的に阻止することができる。
【００２２】
上述したプリンタ装置１では、画像表示部４の回動軸部５における隙間１０に露出する側のフレキシブルフラットケーブル７の部分が帯電性部材９によって覆われている。これにより、たとえ画像表示部４を手で持って起こす際に、手が帯電していたような場合であっても、手の静電気が帯電性部材９へ流れてフレキシブルフラットケーブル７へ流れるのを効果的に阻止することができる。その結果、静電気がフレキシブルフラットケーブル７へ流れることに伴って基板部６が誤動作を起こしてしまい、液晶表示本体４ａに正しく情報が表示されないなどの問題が発生したり、ひいてはプリンタ装置１が誤動作を起こすのを未然に防ぐことができる。
【００２３】
また、上述したプリンタ装置１では、帯電性部材９とフレキシブルフラットケーブル７との間に絶縁性部材８を介在させることで、帯電性部材９を流れる静電気がフレキシブルフラットケーブル７に流れるのをより確実に阻止することができる。
【００２４】
さらに、帯電性部材９では、一端側が画像表示部４内に入り込み、他端側が筐体２内に入り込むように配設されていることで、手などの帯電した物体がフレキシブルフラットケーブル７に接近した場合に、静電気を帯電性部材９から筐体２に流してフレキシブルフラットケーブル７に静電気が流れるのを確実に阻止することができる。
【００２５】
また、帯電性部材９としてスポンジのような発泡部材を例に挙げて説明したが、この他に、たとえば柔軟性を有する布テープや繊維系部材なども適用することが可能である。いずれの材料も安価に得ることができる。
【００２６】
また、さらに、上述したプリンタ装置では、ケーブルとしてフレキシブルフラットケーブルを例に挙げて説明したが、ケーブルとしてはフレキシブルフラットケーブルに限られず、断面が略円形等の一般的なケーブルであってもよい。
【００２７】
また、電子装置の一例としてプリンタ装置を例に挙げて説明したが、電子装置としてはプリンタ装置に限られず、画像表示部等の可動する部分があり、その部分にケーブルが露出するような構造を有する電子装置や、所定の機能をそれぞれ有する２つの処理部の間を電気的に接続するケーブルを備えた電子装置であれば、そのような電子装置のケーブルに対して帯電した物体の望む側に帯電性部材を装着することで静電気対策を図ることができる。
【００２８】
今回開示された実施の形態は例示にすぎず、これに制限されるものではない。本発明は上記で説明した範囲ではなく、特許請求の範囲によって示され、特許請求の範囲と均等の意味および範囲でのすべての変更が含まれることが意図される。
【図面の簡単な説明】
【００２９】
【図１】本発明の実施の形態に係る電子装置としてのプリンタ装置を示す斜視図である。
【図２】同実施の形態において、図１に示すプリンタ装置の画像表示部を起こした状態を示す斜視図である。
【図３】同実施の形態において、画像表示部と基板部とをフレキシブルフラットケーブルによって電気的に接続する構造を示す部分斜視図である。
【図４】同実施の形態において、画像表示部を起こした状態を示す部分斜視図である。
【図５】同実施の形態において、帯電性部材と画像表示部との位置関係を示す部分側面図である。
【図６】従来の電子装置としてのプリンタ装置を示す斜視図である。
【図７】図６に示すプリンタ装置において、画像表示部を起こした状態を示す部分斜視図である。
【図８】図６に示すプリンタ装置において、画像表示部と基板部とをフレキシブルフラットケーブルによって電気的に接続する構造を示す部分斜視図である。
【符号の説明】
【００３０】
１  電子装置、２  筐体、３  操作パネル、４  画像表示部、４ａ  表示部本体、５  回動軸部、６  基板部、７  フレキシブルフラットケーブル、７ａ  露出部分、８  絶縁性部材、９  帯電性部材、１０  隙間。
【図１】
2007128703.tif 000003
【図２】
2007128703.tif 000004
【図３】
2007128703.tif 000005
【図４】
2007128703.tif 000006
【図５】
2007128703.tif 000007
【図６】
2007128703.tif 000008
【図７】
2007128703.tif 000009
【図８】
2007128703.tif 000010